(57)【要約】【課題】清掃作業に伴う清掃対象の損傷防止に効果的であり、衛生面及び使い勝手の向上と製造コストの低減とを図ることができる清掃具用ニット体及び清掃具を提供する。【解決手段】筒状に編成されたニット２ａの一端ａ側は閉止し、他端ｂ側はスポンジ３を挿入するための開口Ｈとしてある清掃具用ニット体２。【選択図】図２
0003197428.tif 000002
【実用新案登録請求の範囲】
【請求項１】
筒状に編成されたニットの一端側は閉止し、他端側はスポンジを挿入するための開口としてある清掃具用ニット体。
【請求項２】
前記ニットはパイルまたは擬似パイル構造を有するように編成されている請求項１に記載の清掃具用ニット体。
【請求項３】
請求項１または２に記載の清掃具用ニット体の前記開口からスポンジを挿入してなる清掃具。
【請求項４】
前記スポンジには把手を連結してなる請求項３に記載の清掃具。
【考案の詳細な説明】
【技術分野】
【０００１】
本考案は、例えば、自動車や流し台、食器等の清掃作業（洗浄作業）に用いて好適な清掃具用ニット体及び清掃具に関するものである。
【背景技術】
【０００２】
従来の清掃具として、スポンジを網目状のカバーで覆ったものが流通している。そして、例えば食器洗い用のスポンジと洗車用のスポンジとでは大きさが異なるのが通常であり、このような用途による構成の違いは見られるものの、スポンジからのカバーの取り外しについての考慮は一切されていないという点で、従来の清掃具は共通している。
【考案の概要】
【考案が解決しようとする課題】
【０００３】
上記従来の清掃具では、特にカバーの目合いが細かい場合、カバーとスポンジとの間に粒状の異物が一旦入り込むと、カバーをスポンジから取り外せないため、その異物を取り除くのが困難となり、異物が入ったままの状態で清掃作業を行うと、異物によって清掃対象に傷がつく恐れがある。
【０００４】
また、カバーとスポンジとが常に一体化した状態であることに起因して、上記清掃具の清掃作業後の乾きは悪く、カビが生え易いという問題もある。
【０００５】
本考案は上述の事柄を考慮に入れてなされたものであり、清掃作業に伴う清掃対象の損傷防止に効果的であり、衛生面及び使い勝手の向上と製造コストの低減とを図ることができる清掃具用ニット体及び清掃具を提供することを課題とする。
【課題を解決するための手段】
【０００６】
前記課題を解決するため、本考案の清掃具用ニット体は、筒状に編成されたニットの一端側は閉止し、他端側はスポンジを挿入するための開口としてある（請求項１）。
【０００７】
前記ニットはパイルまたは擬似パイル構造を有するように編成されているのが好ましい（請求項２）。
【０００８】
また、本考案は、請求項１または２に記載の清掃具用ニット体の前記開口からスポンジを挿入してなる清掃具を提供する（請求項３）。
【０００９】
さらに、本考案は、前記スポンジには把手を連結してなる請求項３に記載の清掃具を提供する（請求項４）。
【考案の効果】
【００１０】
請求項１に係る清掃具用ニット体は、筒状に編成されたニットの一端側は閉止し、他端側はスポンジを挿入するための開口としてある。すなわち、ニットの他端側にスポンジが挿入可能な開口を設けることにより、清掃具用ニット体からスポンジを取り外し可能とした場合は、たとえ清掃具用ニット体とスポンジとの間に粒状の異物が入り込んだとしても、清掃具用ニット体をスポンジから取り外して裏返すことにより、その異物を取り除く作業を容易に行うことができる。従って、その異物によって清掃対象に傷がつくことを確実に防止することができる。また、筒状に編成されたニットの一端側は閉止してあり、本考案の清掃具用ニット体は片方（他端側）だけに開口を有する（片方があいている）有底筒状である。そのため、筒状に編成されたニットの両端が開放されている清掃具用ニット体をスポンジに被せる場合、使用者は通常、被した清掃具用ニット体の両端を揃える（被した清掃具用ニット体をスポンジからずれ難くする）位置合わせ作業にてこずり易いが、本考案ではあいている片方からスポンジを押し込むだけの容易な作業で、てこずることなく、かつずれることなくきっちりと清掃具用ニット体をスポンジに被せることができ、使用勝手が良い。
【００１１】
請求項２に係る清掃具用ニット体は、パイルまたは擬似パイル構造が、清掃作業に伴う清掃対象の損傷を防止するという点で非常に有効である。
【００１２】
請求項３に係る清掃具は、清掃具用ニット体の前記開口からスポンジを挿入してなるものである。これにより、清掃具用ニット体からスポンジを取り外し可能とした場合は、清掃作業後に清掃具用ニット体とスポンジとを別々にすれば乾燥し易くなるので、衛生面での向上を図ることも容易となる。
【００１３】
請求項４に係る清掃具は、把手が連結されている状態のスポンジに清掃具用ニット体を被せる場合、清掃具用ニット体の開いている片方（他端側）から清掃具用ニット体をスポンジに被せるだけの容易な作業で、てこずることなく、かつずれることなくきっちりと清掃具用ニット体をスポンジに被せることができる。すなわち、スポンジに対して被せる清掃具用ニット体をずれ難くする位置合わせ作業が煩雑でなく容易に行える。
【図面の簡単な説明】
【００１４】
【図１】（Ａ）は、本考案の一実施形態に係る清掃具の分解斜視図である。（Ａ）は、上記実施形態における清掃具用ニット体を示す斜視図である。
【図２】前記清掃具の斜視図である。
【図３】前記清掃具の動作を示す図である。
【図４】本考案で用いるニット連結体を示す斜視図である。
【図５】本考案の他の実施形態に係る清掃具を示す一部平面図である。
【考案を実施するための形態】
【００１５】
以下、図１〜図４を用いて、本考案の一実施形態に係る清掃具の構成および動作を説明する。本実施形態の清掃具は清掃対象として例えば車のボディ、ホイール、バンパー、窓などを清掃するものである。
【００１６】
図１〜３において、清掃具１は、清掃具用ニット体２と、清掃具用ニット体２内に挿入される略直方体形状のスポンジ３とからなる。清掃具用ニット体２は有底筒状である。すなわち、清掃具用ニット体２は筒状に編成されたニット２ａの一端ａ側を閉止Ｃしてある一方、他端ｂ側はスポンジ３を挿脱するための開口Ｈとしてある。閉止手段としては、縫合のみならず、接着剤による接着や溶着であってもよい。ニット２は第１繊維（表糸）４および第２繊維〔裏糸（芯糸）〕５を筒状に編成したものである。スポンジ３は清掃具用ニット体２が被せられるように清掃具用ニット体２内に挿入されるものであり、一般的な使用者の手６の大きさで容易につかめる程度の面積と、使用者が加えた力Ｆを分散できる程度の厚さを有する大きさに形成された例えばウレタン樹脂からなるスポンジ材である。  
【００１７】
ここで、第１繊維４は柔軟性に優れた素材からなることが好ましい。例えば車のボディ、ホイール、バンパー、窓などの清掃対象に傷がつきにくい軟らかなアクリル繊維を第１繊維４として用いることができる。また、アクリル繊維に銀を保持させることにより半永久的な抗菌性を持たせるようにしてもよい。
【００１８】
一方、第２繊維５は主として汚れを掻き取る程度の強度を備える繊維であり、例えば、ポリウレタン樹脂、ポリエステル樹脂、ポリプロピレン樹脂、ウーリーナイロンなどからなる繊維を用いることが好ましい。使用するこれら繊維の巻き数は使用目的に応じて適宜設定できる。
【００１９】
そして、ニット２ａは、パイルまたは擬似パイル構造を有するように編成されていることが好ましく、一方の面のみ、または両方の面に凹凸が設けられたものが好ましい。特に、ニット２ａがタック編みされてなる清掃具用ニット体２は、清掃対象の例えば車のバンパー等の清掃面のゴミがよくとれてきれいに清掃できる利点がある。さらに、ニット２ａの目合いは、進入を阻止しようとする粒子状の異物（ゴミ）が入り込まない程度の細かさを備えていても、異物が入り込む程度の粗目であってもよい。なお、本実施形態の清掃具用ニット体２はニット２ａがタック編みされてなるものであるが、ニット２ａがワッフル編みされてなるものであってもよい。そして、本実施形態の清掃具用ニット体２のニット２ａは、粗い目合いを有している。そのため車の例えばバンパーの清掃中にはバンパー表面等に付着した虫などの異物が清掃具用ニット体２内に入り込む。すなわち、目合いが細かいニットではゴミが清掃具用ニット体の表面に残るが、本実施形態ではゴミが清掃具用ニット体の表面に残り難い。加えて、ニット２ａは、図４に示すように、例えば、第１繊維４及び第２繊維５からなる部分と第２繊維５のみの部分とを交互に筒状に編み込んでなるニット連結体２０から、第２繊維５のみの連結部分で裁断した後、例えば蒸気で全体を熱収縮させて得ることのできるものであり、斯かる製法により、ニット２ａは連続的に製造可能であり、量産化に適したものとなる。
【００２０】
さらに、図２に示すように清掃具用ニット体２はスポンジ３の外周を覆うように取り付けられ、スポンジ３に取り付けられた状態（被さる状態）の清掃具用ニット体２においてスポンジ３の一方面３ａよりはみ出した部分（第２繊維５のみの部分）には、内側に捲れるカーリング部分２Ａが開口Ｈの外周縁に発生することにより、スポンジ３と清掃具用ニット体２の接合部にゴミや砂などの異物が入り込みにくくなるように構成している。カーリングは、例えばニット２ａの表裏の目の出方（緊張力）を異ならせることによって発生させることができ、本実施形態のようにニット２ａがタック編みされてなる場合にはカーリングは顕著に発生する。このカーリング部分２Ａにより、挿入されているスポンジ３が使用中にも清掃具用ニット体２内から抜け難く（外れ難く）できる。なお、前記カーリング発生箇所２Ａは、ほどけにくい、ニット連結体２０の編み始め箇所に対応する。また、ほどけやすい、編み終わり箇所であるニット２ａの一端ａは上述したように例えば縫合してある。
【００２１】
而して、図３は清掃用具１を用いて車のバンパーやボディに付着した汚れを除去する例を示す図である。図３に示すように、使用者はその手６で清掃用具１をつかみ、車のバンパーやボディに付着した異物を除去するべく力Ｆを加えると、この力Ｆがスポンジ３によって分散され各部において均一な力ｆを容易にかけることができる。
【００２２】
このとき、清掃具用ニット体２のニット２ａは、虫の死骸などの粒子状の異物の径よりも繊維間の目合いが荒くなるように形成してあるので、これによって、車のバンパーやボディ表面に付着している前記異物が清掃具用ニット体２の繊維間を通り抜けてニット２内に入り込み、前記異物が清掃具用ニット体２の表面に残らないので、きれいに清掃でき、かつ、前記異物によってバンパーやボディに傷をつけてしまう可能性を低くすることができる。
【００２３】
また、粒子状の異物が繊維間を通り抜けて清掃具用ニット体２内に入ってしまった場合、清掃具用ニット体２の片方は閉じていないので、清掃具用ニット体２とスポンジ３とを分離して、この異物を容易に取り出すことができる。
【００２４】
また、清掃作業への使用後は清掃具用ニット体２とスポンジ３を分離して掃除し、清掃具用ニット体２とスポンジ３を別々に水切りして干すことができるので、この清掃具１をできるだけ早く乾燥させてカビのような菌の増殖を防止できる。とりわけ、第１繊維４のアクリル繊維に銀を保持させた場合には、アクリル繊維は銀を保持した半永久的な抗菌性を有するものであるから衛生的である。
【００２５】
さらに、ボディやバンパーの角や奥まった狭い場所、屈曲した場所などを清掃する場合には、スポンジ３を取り外して、使用者の手６に清掃具用ニット体２を被せて直接的に清掃することも可能である。
【００２６】
図５は、スポンジには把手を連結してなる本考案の他の実施形態に係る清掃具１’を示す。本実施形態の清掃具１’は清掃対象として例えば車のホイールなどをきれいに清掃できるものである。なお、図５において、図１〜４に示した符号と同一のものは、同一または相当物である。
【００２７】
図５において、上記一実施形態の清掃具１の清掃具用ニット体２と本実施形態の清掃具用ニット体２’とでは大きさが異なるものである。清掃具１’は、例えば主として車のホイールをきれいに清掃するためのものであって、清掃具用ニット体２’と、清掃具用ニット体２’内に挿入される略直方体形状のスポンジ３と、把手１０とからなる。清掃具用ニット体２’は有底筒状である。すなわち、清掃具用ニット体２’は筒状に編成された、ニット２ａ’の一端ａ側を閉止してある一方、他端ｂ側はスポンジ３を挿入するための開口Ｈとしてある。閉止手段としては、縫合のみならず、接着剤による接着や溶着であってもよい。ニット２ａ’は第１繊維（表糸）４および第２繊維〔裏糸（芯糸）〕５を筒状に編成したもので、本実施形態ではタック編みされてなる。ワッフル編みでもよい。そして、軟らかなアクリル繊維を第１繊維４としている。また、汚れがとれ易くなるようざらつき感を出す（しゃり味を出す）ため第２繊維５として、例えば、ポリウレタン樹脂、ポリエステル樹脂、ポリプロピレン樹脂、ウーリーナイロンなどからなる繊維を用いている。使用するこれら繊維の巻き数は使用目的に応じて適宜設定できる。スポンジ３は清掃具用ニット体２’が被せられるように清掃具用ニット体２’内に挿入されるものであり、把手１０を持った使用者が加えた力を分散できる程度の厚さを有する大きさに形成されたもので、例えばウレタン樹脂からなる。把手１０の先端部１１は、清掃具用ニット体２’が被さっているスポンジ３の一端面ｐ（３ａ）からスポンジ３内に差し込まれて接着剤で固定されている。また、上述したカーリング部分２Ａが把手１０の差し込み口を構成している。そして、本実施形態では、カーリング部分２Ａとスポンジ３の一端面ｐ（３ａ）も接着されているが、接着しなくてもよい。
【００２８】
なお、上述のものは本考案を説明する単なる例にすぎず、本考案は上述の各実施形態の構成に限定されるものではない。例えば、清掃具用ニット体により強力な磨き効果を付与するために、複数の溶液に浸漬して強度と粘着性を持たせた研磨用の繊維を用いて清掃具用ニット体２，２’を構成するようにしてもよい。
【００２９】
上述の各実施形態では、本考案の清掃具１，１’は車のバンパーやホイール、ボディを清掃対象とする例を示しているが、本考案の清掃具１，１’はシンク、レンジなどの台所用品や食器、ガラスなどを清掃対象としてもよい。さらに、靴を清掃対象として靴磨きのために用いてもよい。
【符号の説明】
【００３０】
１        清掃具
２        清掃具用ニット体
３        スポンジ
２ａ      ニット
ａ        一端
ｂ        他端
Ｈ        開口
【図１】
0003197428.tif 000003
【図２】
0003197428.tif 000004
【図３】
0003197428.tif 000005
【図４】
0003197428.tif 000006
【図５】
0003197428.tif 000007